(57)【特許請求の範囲】
【請求項１】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生装置において、
再生対象の光ディスクに対して、トラック方向に走査する光ビームを照射する照射手段と、
この照射手段から照射された光ビームの光ディスクからの反射光を受光する受光手段と、
この受光手段により受光された前記反射光に反映された光ディスクに記録されたデータを再生するにあたり、この受光手段を介して得られた信号から所定の直流成分を除去する直流成分除去手段と、
前記ランドヘッダ領域及び前記グルーブヘッダ領域を再生する際、前記直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまで、及び前記グルーブヘッダ領域の前記第３のヘッダ部の前記第１の同期コードに相当する信号の入力が開始されてから前記第３のヘッダ部の前記第１の同期コードに相当する信号の入力が完了するまでに、前記直流成分除去手段のカットオフ周波数を所定の周波数に切換える切換手段と、
を備えたことを特徴とする光ディスク再生装置。
【請求項２】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生装置において、
再生対象の光ディスクに対して、トラック方向に走査する光ビームを照射する照射手段と、
この照射手段から照射された光ビームの光ディスクからの反射光を受光する受光手段と、
この受光手段により受光された前記反射光に反映された光ディスクに記録されたデータを再生するにあたり、この受光手段を介して得られた信号から所定の直流成分を除去する直流成分除去手段と、
前記ランドヘッダ領域及び前記グルーブヘッダ領域を再生する際、前記直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまで、及び前記グルーブヘッダ領域の前記第３のヘッダ部の前記第１の同期コードに相当する信号の入力が開始されてから前記第３のヘッダ部の前記第１の同期コードに相当する信号の入力が完了するまでに、前記直流成分除去手段に対してこの直流成分除去手段のカットオフ周波数を前記ランドヘッダ及び前記グルーブヘッダ領域の再生に適する周波数に切換えるための切換信号を供給する切換信号供給手段と、
を備えたことを特徴とする光ディスク再生装置。
【請求項３】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生装置において、
再生対象の光ディスクに対して、トラック方向に走査する光ビームを照射する照射手段と、
この照射手段から照射された光ビームの光ディスクからの反射光を受光する受光手段と、
この受光手段により受光された前記反射光に反映された光ディスクに記録されたデータを再生するにあたり、この受光手段を介して得られた信号から所定の直流成分を除去する直流成分除去手段と、
前記ランドヘッダ領域及び前記グルーブヘッダ領域を再生する際、前記直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまでに前記直流成分除去手段のカットオフ周波数を第１の周波数に切換え、前記グルーブヘッダ領域の前記第３のヘッダ部の前記第１の同期コードに相当する信号の入力が開始されてから前記第３のヘッダ部の前記第１の同期コードに相当する信号の入力が完了するまでに前記直流成分除去手段のカットオフ周波数を第２の周波数に切換える切換手段と、
を備えたことを特徴とする光ディスク再生装置。
【請求項４】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生装置において、
再生対象の光ディスクに対して、トラック方向に走査する光ビームを照射する照射手段と、
この照射手段から照射された光ビームの光ディスクからの反射光を受光する受光手段と、
この受光手段により受光された前記反射光に反映された光ディスクに記録されたデータを再生するにあたり、この受光手段を介して得られた信号から所定の直流成分を除去する直流成分除去手段と、
前記ランドヘッダ領域及び前記グルーブヘッダ領域を再生する際、前記直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまでに前記直流成分除去手段のカットオフ周波数を第１の周波数に切換えるための第１の切換信号を供給し、前記グルーブヘッダ領域の前記第３のヘッダ部の前記第１の同期コードに相当する信号の入力が開始されてから前記第３のヘッダ部の前記第１の同期コードに相当する信号の入力が完了するまでに前記直流成分除去手段のカットオフ周波数を第２の周波数に切換えるための第２の切換信号を供給する切換信号供給手段と、
を備えたことを特徴とする光ディスク再生装置。
【請求項５】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生方法において、
再生対象の光ディスクに対して、トラック方向に走査する光ビームを照射し、
この照射された光ビームの光ディスクからの反射光を受光し、
前記ランドヘッダ領域及び前記グルーブヘッダ領域を再生する際、信号に含まれた直流成分を除去する直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまでに前記直流成分除去手段のカットオフ周波数を第１の周波数に切換え、前記グルーブヘッダ領域の前記第３のヘッダ部の前記第１の同期コードに相当する信号の入力が開始されてから前記第３のヘッダ部の前記第１の同期コードに相当する信号の入力が完了するまでに前記直流成分除去手段のカットオフ周波数を第２の周波数に切換える、
ことを特徴とする光ディスク再生方法。
【請求項６】
同心円状又はスパイラル状のランド及びグルーブで形成された複数のトラックを有し、これらトラックの境界の延長線上に同期コードに続いてアドレスデータが記録されたランドヘッダ領域及びグルーブヘッダ領域を有し、前記ランドヘッダ領域が先頭から順に第１及び第２のヘッダ部を有し、さらに前記第１のヘッダ部の先頭に第１のバイト数の第１の同期コードが記録され、前記第２のヘッダ部の先頭に前記第１のバイト数より少ない第２のバイト数の第２の同期コードが記録され、前記グルーブヘッダ領域が先頭から順に第３及び第４のヘッダ部を有し、さらに前記第３のヘッダ部の先頭に前記第１のバイト数の前記第１の同期コードが記録され、前記第４のヘッダ部の先頭に前記第２のバイト数の前記第２の同期コードが記録され、前記トラック内に前記アドレスデータに係属するユーザデータが記録されたレコーディング領域を有する光ディスクのデータを再生する光ディスク再生方法において、
再生対象の光ディスクに対して、トラック方向に走査する光ビームを照射し、
この照射された光ビームの光ディスクからの反射光を受光し、
前記ランドヘッダ領域及び前記グルーブヘッダ領域を再生する際、信号に含まれた直流成分を除去する直流成分除去手段に対して前記ランドヘッダ領域の前記第１のヘッダ部の前記第１の同期コードに相当する信号の入力が開始されてから前記第１のヘッダ部の前記第１の同期コードに相当する信号の入力が完了するまでに前記直流成分除去手段のカットオフ周波数を第１の周波数に切換えるための第１の切換信号を供給し、、前記グルーブヘッダ領域の前記第３のヘッダ部の前記第１の同期コードに相当する信号の入力が開始されてから前記第３のヘッダ部の前記第１の同期コードに相当する信号の入力が完了するまでに前記直流成分除去手段のカットオフ周波数を第２の周波数に切換えるための第２の切換信号を供給する、
ことを特徴とする光ディスク再生方法。
【発明の詳細な説明】
【０００１】
【発明の属する技術分野】
この発明は、光ディスクに記録されたデータを再生する光ディスク再生装置及び光ディスク再生方法に関する。特に、ヘッダ領域のデータ（直流レベルの異なる信号）を再生する光ディスク再生装置及び光ディスク再生方法に関する。
【０００２】
【従来の技術】
近年、大容量情報記憶媒体としてＤＶＤ−ＲＯＭ及びＤＶＤ−ＲＡＭ等の光ディスクが注目をあびている。これら光ディスクは、例えば、ガラスあるいはプラスチックス等で円形に形成された基板の表面に、テルルあるいはビスマス等の金属被膜層がドーナツ型にコーティングされることによって形成されている。
【０００３】
これら光ディスクには、例えば、図１に示すように、同心円状又はスパイラル状のランド（凸部）で形成された複数のランドトラックＬＴ１〜ＬＴ３…、及び同心円状又はスパイラル状のグルーブ（凹部）で形成された複数のグルーブトラックＧＴ１〜ＧＴ３…が設けられている。
【０００４】
また、これらランドトラックＬＴ１〜ＬＴ３…には、ユーザデータが記録されるユーザデータ領域を含むランドレコーディング領域ＬＲ１〜ＬＲ３…が設けられている。同様に、グルーブトラックＧＴ１〜ＧＴ３…にも、ユーザデータ領域を含むグルーブレコーディング領域ＧＲ１〜ＧＲ３…が設けられている。なお、これらレコーディング領域の構成は、後に詳しく説明する。
【０００５】
ランドトラックＬＴ１と、このランドトラックＬＴ１に隣接しこのランドトラックＬＴ１より外周側の図示しないグルーブトラックＧＴとの境界の延長線上には、このランドトラックＬＴ１におけるランドレコーディング領域ＬＲ１のアドレスデータなどが記録されるランドヘッダ領域ＬＨ１が配置される。このランドヘッダ領域ＬＨ１は、ヘッダ部Ｈ１及びヘッダ部Ｈ２により構成される。
【０００６】
グルーブトラックＧＴ１と、このグルーブトラックＧＴ１に隣接しこのグルーブトラックＧＴ１より外周側のランドトラックＬＴ１との境界の延長線上には、このグルーブトラックＧＴ１におけるグルーブレコーディング領域ＧＲ１のアドレスデータなどが記録されるグルーブヘッダ領域ＧＨ１が配置される。このヘッダ領域ＧＨ１は、ヘッダ部Ｈ３及びヘッダ部Ｈ２により構成される。
【０００７】
同様に、ランドトラックＬＴ２とグルーブトラックＧＴ１との境界の延長線上には、ランドレコーディング領域ＬＲ２のアドレスデータなどが記録されるランドヘッダ領域ＬＨ２が配置される。グルーブトラックＧＴ２とランドトラックＬＴ２との境界の延長線上には、グルーブレコーディング領域ＧＲ２のアドレスデータなどが記録されるグルーブヘッダ領域ＧＨ２が配置される。ランドトラックＬＴ３とグルーブトラックＧＴ２との境界の延長線上には、ランドレコーディング領域ＬＲ３のアドレスデータなどが記録されるランドヘッダ領域ＬＨ３が配置される。グルーブトラックＧＴ３とランドトラックＬＴ３との境界の延長線上には、グルーブレコーディング領域ＧＲ３のアドレスデータなどが記録されるグルーブヘッダ領域ＧＨ３が配置される。
【０００８】
さらに、各ランドヘッダ領域ＬＨ１〜ＬＨ４は光ディスクの半径方向に対して同位置に配置され、各グルーブヘッダ領域ＧＨ１〜ＧＨ３も光ディスクの半径方向に対して同位置に配置される。その上、ランドヘッダ領域ＬＨ１〜ＬＨ４とグルーブヘッダ領域ＧＨ１〜ＧＨ３とは、アドレスデータ領域長分トラック方向に対してずれた位置に配置される。
【０００９】
このように配置されたランドヘッダ領域ＬＨ、及びグルーブヘッダ領域ＧＨに記録されれたデータは、ランドトラックＲＴ又はグルーブトラックＧＴを走査する光ビームにより再生される。この場合、再生信号Ｓは、例えば、図２に示すような信号となる。この再生信号Ｓには、ランドヘッダ領域ＬＨから再生された再生信号Ｓａと、グルーブヘッダ領域ＧＨから再生された再生信号Ｓｂとが含まれる。また、ランドヘッダ領域ＬＨとグルーブヘッダ領域ＧＨとの位置関係から、再生信号Ｓａと再生信号Ｓｂは、直流レベルの異なる信号となる。そのため、再生信号Ｓに対して、ハイパスフィルタによるフィルタリング処理が施され、再生信号Ｓから直流成分が除去される。そして、フィルタリング処理された再生信号Ｓに対して、二値化処理が施されるようになっている。
【００１０】
【発明が解決しようとする課題】
また、上記したフィルタリング処理では、再生信号Ｓａ及び再生信号Ｓｂ夫々に合わせてカットオフ周波数を切換える必要がある。しかも、このカットオフ周波数の切換えが高速になされないと、その後、正確な二値化処理ができなくなるおそれがある。ところが、単に、カットオフ周波数の切換えを高速にしようとすると、再生信号が歪み、再生マージンが削られてしまうおそれがあり、正確な再生を妨げることになりかねない。
【００１１】
この発明の目的は、上記したような事情に鑑み成されたものであって、ランドヘッダ領域及びグルーブヘッダ領域から得られる直流レベルの異なる信号を正確に再生することができる光ディスク再生装置及び光ディスク再生方法を提供することにある。
【００１２】
【課題を解決するための手段】
上記課題を解決し目的を達成するために、この発明の光ディスク再生装置は、以下のように構成されている。
この発明の光ディスク再生装置は、同心円状又はスパイラル状のランド及びグルーブで形成された複数のトラックを有し、これらトラックの境界の延長線上にアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記ヘッダ領域を再生する際、前記直流成分除去手段に対してこのヘッダ領域に相当する信号の入力が開始されてから所定期間内に、この直流成分除去手段のカットオフ周波数を所定の周波数に切換える切換手段とを備えている。
【００１３】
この発明の光ディスク再生装置は、同心円状又はスパイラル状のランド及びグルーブで形成された複数のトラックを有し、これらトラックの境界の延長線上に同期コードに続いてアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記ヘッダ領域を再生する際、前記直流成分除去手段に対してこのヘッダ領域に相当する信号の入力が開始されてからこのヘッダ領域に設けられた同期コードに相当する信号の入力が完了するまでに、前記直流成分除去手段のカットオフ周波数を所定の周波数に切換える切換手段とを備えている。
【００１４】
この発明の光ディスク再生装置は、同心円状又はスパイラル状のランド及びグルーブで形成された複数のトラックを有し、これらトラックの境界の延長線上に同期コードに続いてアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記ヘッダ領域を再生する際、前記直流成分除去手段に対してこのヘッダ領域に相当する信号の入力が開始されてからこのヘッダ領域に設けられた同期コードに相当する信号の入力が完了するまでの間、前記直流成分除去手段に対してこの直流成分除去手段のカットオフ周波数をこのヘッダ領域の再生に適する周波数に切換えるための切換信号を供給する切換信号供給手段とを備えている。
【００１５】
この発明の光ディスク再生装置は、同心円状又はスパイラル状のランド及びグルーブで形成された複数のトラックを有し、これらトラックの境界の延長線上にアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記複数のトラックの中の第１のトラックとこの第１のトラックに隣接する第２のトラックとの境界の延長線上に設けられた第１のヘッダ領域、及びこの第２トラックとこの第２のトラックに隣接する第３のトラックとの境界の延長線上に設けられた第２のヘッダ領域とを再生する際、前記直流成分除去手段に前記第１のヘッダ領域に相当する信号の入力が開始されてから所定期間内にこの直流成分除去手段のカットオフ周波数を第１の周波数に切換え、前記直流成分除去手段に前記第２のヘッダ領域に相当する信号の入力が開始されてから所定期間内にこの直流成分除去手段のカットオフ周波数を第２の周波数に切換える切換手段とを備えている。
【００１６】
この発明の光ディスク再生装置は、同心円状又はスパイラル状のランド及びグルーブで形成された複数のトラックを有し、これらトラックの境界の延長線上に同期コードに続いてアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記複数のトラックの中の第１のトラックとこの第１のトラックに隣接する第２のトラックとの境界の延長線上に設けられた第１のヘッダ領域、及びこの第２トラックとこの第２のトラックに隣接する第３のトラックとの境界の延長線上に設けられた第２のヘッダ領域とを再生する際、前記直流成分除去手段に前記第１のヘッダ領域に相当する信号の入力が開始されてからこの第１のヘッダ領域に設けられた同期コードに相当する信号の入力が完了するまでに前記直流成分除去手段のカットオフ周波数を第１の周波数に切換え、前記直流成分除去手段に前記第２のヘッダ領域に相当する信号の入力が開始されてからこの第２のヘッダ領域に設けられた同期コードに相当する信号の入力が完了するまでに前記直流成分除去手段のカットオフ周波数を第２の周波数に切換える切換手段とを備えている。
【００１７】
この発明の光ディスク再生装置は、同心円状又はスパイラル状のランド及びグルーブで形成された複数のトラックを有し、これらトラックの境界の延長線上に同期コードに続いてアドレスデータが記録されたヘッダ領域を有し、これらトラック内にこのアドレスデータに係属するユーザデータが記録されたレコーディング領域を有する光ディスクのデータを再生する光ディスク再生装置において、再生対象の光ディスクに対して、トラック方向に走査する光ビームを照射する照射手段と、この照射手段から照射された光ビームの光ディスクからの反射光を受光する受光手段と、この受光手段により受光された前記反射光に反映された光ディスクに記録されたデータを再生するにあたり、この受光手段を介して得られた信号から所定の直流成分を除去する直流成分除去手段と、前記複数のトラックの中の第１のトラックとこの第１のトラックに隣接する第２のトラックとの境界の延長線上に設けられた第１のヘッダ領域、及びこの第２トラックとこの第２のトラックに隣接する第３のトラックとの境界の延長線上に設けられた第２のヘッダ領域とを再生する際、前記直流成分除去手段に前記第１のヘッダ領域に相当する信号の入力が開始されてからこの第１のヘッダ領域に設けられた同期コードに相当する信号の入力が完了するまでの間、前記直流成分除去手段に対してこの直流成分除去手段のカットオフ周波数を第１の周波数に切換えるための第１の切換信号を供給し、前記直流成分除去手段に前記第２のヘッダ領域に相当する信号が入力されてからこの第２のヘッダ領域に設けられた同期コードに相当する信号の入力が完了するまでの間、前記直流成分除去手段に対してこの直流成分除去手段のカットオフ周波数を第２の周波数に切換えるための第２の切換信号を供給する切換信号供給手段とを備えている。
【００１８】
上記手段を講じた結果、下記に示すような作用が生じる。
この発明の光ディスク再生装置によれば、直流成分除去手段（ハイパスフィルタ）に対して、ヘッダ領域に相当する信号の入力が開始されてから、ヘッダ領域の同期コードが記録されている領域（ＶＦＯ領域）に相当する信号の入力が完了するまでの間に直流成分除去手段（ハイパスフィルタ）のカットオフ周波数が高速に切換えられる。これにより、ヘッダ領域のアドレスデータ以降を良好に再生することができる。
【００１９】
【発明の実施の形態】
以下、この発明の実施の形態について図面を参照して説明する。
図３は光ディスクのデータ記録領域を複数のゾーンに分割した様子を示す図であり、図４は光ディスクのデータ記録領域のデータ構造を示す図である。
【００２０】
図３及び図４に示すように、光ディスク１のデータ記録領域は、大きく、リードインエリア２、データエリア３、及びリードアウトエリア４に分割することができる。各エリアは、複数のゾーンで構成されており、各ゾーンは先に説明したような複数のトラックにより構成されている。
【００２１】
リードインエリア２は、エンボスデータゾーン５、及び書換え可能なデータゾーン６で構成されている。エンボスデータゾーン５には、製造時に、リファレンスシグナルやコントロールデータが記録される。書換え可能なデータゾーン６は、さらに、ガードトラック用のゾーン、ディスクテスト用のゾーン、ドライブテスト用のゾーン、ディスク識別データ用のゾーン、および交替管理エリアとしての交替管理ゾーンなどで構成されている。
【００２２】
データエリア３は、複数のゾーン、例えば、ゾーン３ａ、…３ｘにより構成されている。
リードアウトエリア４は、リードインエリア２に形成された書換え可能なデータゾーン６と同様の書換え可能なデータゾーンである。そして、このリードアウトエリア４には、データゾーン６と同じ記録内容のデータが記録される。
【００２３】
また、この実施形態の光ディスク１は、内周側と外周側とで、１トラックあたりのセクタ数が異なるものである。つまり、外周側のトラックにおけるセクタ数が、内周側のトラックにおけるセクタ数より多い。そのため、図５に示すように、光ディスク１の回転数（回転速度）が、ゾーン毎に変化するようになっている。従って、リードインエリア２における各ゾーン、データエリア３における各ゾーン、及びリードアウトエリア４における各ゾーンにおいて、光ディスク１の内周側から外周側に向かうにしたがって回転速度が遅くなる。この各ゾーンに対する、回転速度データと、１トラックのセクタ数との関係（図５）は、後述するメモリ１０のテーブル１０ａに記録される。
【００２４】
このデータエリア３のゾーン３ａ、…３ｘのトラックには、図３及び図４に示すように、データの記録単位としてのＥＣＣ（error correction code ）ブロックデータ単位（たとえば３８６８８バイト）ごとに、あらかじめデータが記録されている。
【００２５】
続いて、図６を参照して、セクタ領域の概略構成について説明する。図６は、セクタ領域の概略構成を示す図である。
図６示すように、１セクタは、およそ２６９７バイトで構成されている。その内訳は、１２８バイトのヘッダ領域、２バイトのミラー領域、２５６７バイトのレコーディング領域である。ヘッダ領域は、出荷前に凹凸形状として記録（プリフォーマット）される部分である。セクタ領域（後述するアドレスマークＡＭ領域を除く）に記録されるチャネルビットは、８ビットのデータを１６ビットのチャネルビットに８−１６コード変調された形式になっている。
【００２６】
ヘッダ領域には、光ディスク１を製造する際に所定のデータが記録される。このヘッダ領域は、４つの領域（図１に示されているＨ１〜Ｈ４）、つまりヘッダ１領域、ヘッダ２領域、ヘッダ３領域、及びヘッダ４領域により構成されている。ヘッダ１領域及びヘッダ３領域は４６バイトで、ヘッダ２領域及びヘッダ４領域は１８バイトで構成されている。
【００２７】
ヘッダ１領域及びヘッダ３領域は、３６バイトの同期コードＶＦＯ（VariableFrequency Oscillator）１領域、３バイトのアドレスマークＡＭ（Address Mark）領域、４バイトのアドレスＰＩＤ（Physical ID ）領域、２バイトの誤り検出コードＩＥＤ（ID Error Detection Code ）領域、１バイトのポストアンブルＰＡ（Post Ambles ）領域により構成されている。一方、ヘッダ２領域及びヘッダ４領域は、８バイトの同期コードＶＦＯ２領域、３バイトのアドレスマークＡＭ領域、４バイトのアドレスＰＩＤ領域、２バイトの誤り検出コードＩＥＤ領域、１バイトのポストアンブルＰＡ領域により構成されている。
【００２８】
ＰＩＤ領域には、アドレス情報が記録される。具体的に述べると、１バイトから成るセクタインフォメーション（ＰＩＤナンバー含む）及び３バイトから成るセクターナンバーが記録される。
【００２９】
同期コードＶＦＯ１領域及びＶＦＯ２領域には、ＰＬＬ（Phase Locked Loop ）の引き込みを行うための連続的な繰返しパターン（１０００１０００１０００…）が記録される。具体的に述べると、このＶＦＯ領域に記録されるパターンは、ＰＩＤ領域に記録されたアドレス情報を再生するための周波数同期を取るためのものである。
【００３０】
ＡＭ領域にはアドレスマークが記録され、このアドレスマークが固定長ブロック符号の復調の際にブロックの境界を検出する役割を担う。具体的に述べると、このＡＭ領域に記録されるアドレスマークは、ＰＩＤ領域に記録されたアドレス情報の位置を示すものである。このＡＭ領域に記録されるアドレスマークには、他には現れない特殊なパターンが用いられる。
【００３１】
誤り検出コードＩＥＤ領域には、セクタアドレス（ＩＤ番号含む）に対するエラー（誤り）検出符号が記録され、このエラー検出符号により読み込まれたＰＩＤ内のエラーの有無が検出される。
【００３２】
ポストアンブルＰＡ１領域及びＰＡ２領域には、復調に必要なステート情報が記録されており、ヘッダ領域がスペースで終了するよう極性調整の役割も持つ。ミラー領域は、トラッキングエラー信号のオフセット補正、ランド／グルーブ切り替え信号のタイミング発生等に利用される。
【００３３】
レコーディング領域は、（１０＋Ｊ／１６）バイトのギャップ領域、（２０＋Ｋ）バイトのガード１領域、３５バイトのＶＦＯ３領域、３バイトのＰＳ（pre-synchronous code）領域、２４１８バイトのデータ領域（ユーザデータ領域）、１バイトのポストアンブルＰＡ３領域、（５５−Ｋ）バイトのガード２領域、および（２５−Ｊ／１６）バイトのバッファ領域により構成されている。因みに、Ｊは０〜１５、Ｋは０〜７の整数でランダムな値をとる。
【００３４】
ギャップ領域は、何も記録されたない領域である。
ガード１領域は、相変化記録媒体特有の繰り返し記録時の終端劣化がＶＦＯ３領域にまで及ばないようにするために設けられた領域である。
【００３５】
ＶＦＯ３領域もＰＬＬロック用の領域ではあるが、同一パターンの中に同期コードを挿入し、バイト境界の同期をとることも目的とする領域である。
ＰＳ領域は、データ領域につなぐための同調用の領域である。
【００３６】
データ領域は、データＩＤ、データＩＤエラー訂正コードＩＥＤ（Data ID Error Detection Code）、同期コード、ＥＣＣ（Error Collection Code ）、ＥＤＣ（Error Detection Code）、ユーザデータ等から構成される領域である。データＩＤは、各セクタの４バイト（３２チャネルビット）構成のセクタＩＤ１〜ＩＤ１６である。データＩＤエラー訂正コードＩＥＤは、データＩＤ用の２バイト（１６ビット）構成のエラー訂正コードである。
【００３７】
ポストアンブルＰＡ３領域は、復調に必要なステート情報を含んでおり、前のデータ領域の最終バイトの終結を示す領域である。
ガード２領域は、相変化記録媒体特有の繰り返し記録時の終端劣化がデータ領域にまで及ばないようにするために設けられた領域である。
【００３８】
バッファ領域は、データ領域が次のヘッダ領域にかからないように、光ディスク１を回転するモータの回転変動などを吸収するために設けられた領域である。続いて、上記説明した光ディスクに記録されているデータを再生する光ディスク再生装置の概略構成を説明する。図７は、この発明の実施の一形態に係る光ディスク再生装置の概略構成を示す図である。この光ディスク再生装置は、光ディスク１に対して集束性の光ビームを照射して、この光ディスク１からの光ビームの反射光を受光し、この受光された反射光に反映された光ディスク１に記録されたデータの再生を行うものである。
【００３９】
図７に示すように、光ディスク１は、カートリッジ２１によって保持されながらスピンドルモータ２３に装填される。そして、この光ディスク１は、スピンドルモータ２３によって、例えば、ゾーンごとに異なった回転数で回転される。このスピンドルモータ２３は、モータ制御回路２４によって制御されている。
【００４０】
光ディスク１に記録されているデータの再生は、光学ヘッド２５によって行われる。スピンドルモータ２３及び光学ヘッド２５は、後述するように、固定ベースに備えられている。
【００４１】
この光学ヘッド２５は、リニアモータ２６の可動部を構成する駆動コイル２７に固定され、この駆動コイル２７は、リニアモータ制御回路２８に接続されている。
【００４２】
一方、リニアモータ２６を駆動するリニアモータ制御回路２８には、速度検出器２９が接続されており、速度検出器２９で検出された光学ヘッド２５の速度信号は、リニアモータ制御回路２８に送られ、光学ヘッド２５の移動速度が制御される。
【００４３】
また、光学ヘッド２５のキャリッジ７０には、対物レンズ３０が設けられ、図示しないワイヤあるいは板ばねによって支持されている。この対物レンズ３０は、駆動コイル３１によってフォーカシング方向（レンズの光軸方向）に移動されるとともに、駆動コイル３２によってトラッキング方向（レンズの光軸と直交する方向）に移動される。
【００４４】
また、光ビームを照射する照射手段としての半導体レーザ３９は、レーザ駆動回路３５によって駆動され、レーザビームを発生する。レーザ駆動回路３５は、半導体レーザ３９のモニタ用のフォトダイオードＰＤからのモニタ電流に応じて半導体レーザ３９が発生するレーザビームの光量を補正する。
【００４５】
レーザ駆動回路３５は、図示しないＰＬＬ回路からのデータ記録用またはデータ再生用のクロック信号に同期して動作する。このＰＬＬ回路は、図示しない発振器からの基本クロック信号を分周して、データ記録用またはデータ再生用のクロック信号を発生するものである。このレーザ駆動回路３５では、半導体レーザ３９からデータ記録用のレーザビームを発生させる場合には、データ再生用のレーザビームより所定レベル高い高出力のレーザビームを発生させるように制御する。
【００４６】
レーザ駆動回路３５によって駆動される半導体レーザ３９により発生されたレーザビームは、コリメータレンズ４０によってコリメートされた後、ハーフプリズム４１によって光路が略直角に折り曲げられる。すなわち、ハーフプリズム４１により半導体レーザ３９から発生されたレーザビームがコリメートされた状態で光ディスク１に向けて照射される。このレーザビームは、対物レンズ３０により、光ディスク１のデータ記録面に集束される。
【００４７】
そして、この光ディスク１のデータ記録面からの反射光ビームは、対物レンズ３０、及びハーフプリズム４１を透過して、集光レンズ４２、及びシリンドリカルレンズ４３を介して受光手段としての光検出器４４に導かれる。
【００４８】
この光検出器４４は、例えば４分割の光検出セル４４ａ、４４ｂ、４４ｃ、４４ｄによって構成されている。
この光検出器４４に含まれる光検出セル４４ａの出力信号は、増幅器４５ａを介して加算器４６ａの一端に供給され、光検出セル４４ｂの出力信号は、増幅器４５ｂを介して加算器４６ｂの一端に供給される。また、光検出セル４４ｃの出力信号は、増幅器４５ｃを介して加算器４６ａの他端に供給され、光検出セル４４ｄの出力信号は、増幅器４５ｄを介して加算器４６ｂの他端に供給される。
【００４９】
また、この光検出器４４に含まれる光検出セル４４ａの出力信号は、増幅器４５ａを介して加算器４６ｃの一端に供給され、光検出セル４４ｂの出力信号は、増幅器４５ｂを介して加算器４６ｄの一端に供給される。また、光検出セル４４ｃの出力信号は、増幅器４５ｃを介して加算器４６ｄの他端に供給され、光検出セル４４ｄの出力信号は、増幅器４５ｄを介して加算器４６ｃの他端に供給される。
【００５０】
加算器４６ａの出力信号は、差動増幅器ＯＰ２の反転入力端に供給され、この差動増幅器ＯＰ２の非反転入力端には、加算器４６ｂの出力信号が供給される。これにより、差動増幅器ＯＰ２は、加算器４６ａ、４６ｂの差に応じてフォーカス点に関する信号、すなわちフォーカス誤差信号をフォーカシング制御回路４７に供給する。このフォーカシング制御回路４７からの出力信号は、駆動コイル３１に供給され、レーザビームが光ディスク１のデータ記録面上で常時ジャストフォーカスとなるように制御される。
【００５１】
加算器４６ｃの出力信号は、差動増幅器ＯＰ１の反転入力端に供給され、この差動増幅器ＯＰ１の非反転入力端には、加算器４６ｄの出力信号が供給される。これにより、差動増幅器ＯＰ１は、加算器４６ｃ、４６ｄの差に応じてトラッキング誤差信号をトラッキング制御回路４８に供給する。トラッキング制御回路４８は、差動増幅器ＯＰ１から供給されるトラッキング誤差信号に応じてトラック駆動信号を作成する。
【００５２】
このトラッキング制御回路４８から出力されるトラック駆動信号は、トラッキング方向の駆動コイル３２に供給される。また、このトラッキング制御回路４８で用いられたトラッキング誤差信号は、リニアモータ制御回路２８にも供給される。
【００５３】
このようにフォーカシング制御、及びトラッキング制御を行った状態での光検出器４４の各光検出セル４４ａ乃至４４ｄの出力の和信号、つまり加算器４６ｃ、４６ｄからの出力信号を加算器４６ｅで加算した信号は、トラック上に形成されたピット、すなわち記録データからの反射率の変化が反映されている。この信号は、データ再生回路３８に供給され、このデータ再生回路３８において、光ディスクのデータ記録面に記録されているデータが再生される。
【００５４】
このデータ再生回路３８で再生された再生データは、付与されているエラー訂正コードＥＣＣを用いてエラー訂正回路５２でエラー訂正を行った後、インターフェース回路５５を介して外部装置としての光ディスク制御装置５６に出力される。
【００５５】
また、レーザ駆動回路３５の前段には、データ生成回路３４が設けられている。このデータ生成回路３４には、エラー訂正回路５２から供給される記録データとしてのＥＣＣブロックのフォーマットデータを、ＥＣＣブロック用の同期コードを付与した記録用のＥＣＣブロックのフォーマットデータに変換するＥＣＣブロックデータ生成回路３４ａと、このＥＣＣブロックデータ生成回路３４ａからの記録データを８−１６コード変換方式で変調する変調回路３４ｂと、を有している。
【００５６】
データ生成回路３４には、エラー訂正回路５２によりエラー訂正符号が付与された記録データやメモリ１０から読出されたエラーチェック用のダミーデータが供給される。エラー訂正回路５２には、外部装置としての光ディスク制御装置５６からの記録データがインターフェース回路５５およびバス４９を介して供給される。
【００５７】
エラー訂正回路５２は、光ディスク制御装置５６から供給される３２Ｋバイトの記録データを４Ｋバイトごとのセクタ単位の記録データに対する横方向と縦方向のそれぞれのエラー訂正符号（ＥＣＣ１、ＥＣＣ２）を付与するとともに、セクタＩＤ（論理アドレス番号）を付与し、ＥＣＣブロックのフォーマットデータを生成する。
【００５８】
また、この光ディスク装置には、それぞれフォーカシング制御回路４７、トラッキング制御回路４８、及びリニアモータ制御回路２８と、光ディスク装置の全体を制御するＣＰＵ５０との間で情報の授受を行うために用いられるＤ／Ａ変換器５１が設けられている。
【００５９】
モータ制御回路２４、リニアモータ制御回路２８、レーザ駆動回路３５、データ再生回路３８、フォーカシング制御回路４７、トラッキング制御回路４８、エラー訂正回路５３等は、バス４９を介してＣＰＵ５０によって制御される。このＣＰＵ５０は、メモリ１０に記録された制御プログラムによって所定の動作を行う。
【００６０】
メモリ１０は、制御プログラムが記録されていたり、データ記録用に用いられる。このメモリ１０は、各ゾーンに対する、速度データ（回転数）と１トラックのセクタ数との関係が記録されているテーブル１０ａを有している。
【００６１】
続いて、図８を参照して、データ再生回路３８の概略構成について説明する。図８は、データ再生回路３８の概略構成を示す図である。
図８に示すように、データ再生回路３８は、ハイパスフィルター１０２、コンパレータ１０４、２値化回路１０６、ＰＬＬ回路１０８、コントローラ１２０、復調回路１２２、ヘッダ検知信号生成回路１２４などで構成されている。
【００６２】
ここで、図１のランドヘッダ領域ＬＨ１及びグルーブヘッダ領域ＧＨ１を再生するケースを想定して、データ再生回路３８の動作を説明する。ランドヘッダ領域ＬＨ１及びグルーブヘッダ領域ＧＨ１を再生して得られる再生信号Ｓ１は、図９に示すような信号となる。この再生信号Ｓ１には、ランドヘッダ領域ＬＨ１から再生された再生信号Ｓ１ａと、グルーブヘッダ領域ＧＨ１から再生された再生信号Ｓ１ｂとが含まれている。また、再生信号Ｓ１ａ＊はランドヘッダ領域ＬＨ１に含まれるＶＦＯ１領域に相当する部分であり、再生信号Ｓ２ｂ＊はグルーブヘッダ領域ＧＨ１に含まれるＶＦＯ１領域に相当する部分を示すものである。なお、ランドヘッダ領域ＬＨ１とグルーブヘッダ領域ＧＨ１との位置関係から、再生信号Ｓ１ａと再生信号Ｓ１ｂは、直流レベルの異なる信号となる。
【００６３】
このような再生信号Ｓ１は、図７の加算器４６から出力され、直流成分除去手段としてのハイパスフィルタ１０２に供給される。このハイパスフィルタ１０２は、切換手段（又は切換信号供給手段）としてのコントローラ１２０から供給される切換信号Ｓ３により、カットオフ周波数が切換えられるようになっている。つまり、再生信号Ｓ１ａ及び再生信号Ｓ１ｂ夫々に合わせてカットオフ周波数が所定の周波数（第１の周波数又は第２の周波数）に切換えられるようになっている。
【００６４】
コントローラ１２０は、外部から供給されるヘッダ検知信号及びＰＬＬ回路から出力されるクロックを基にして、ランドヘッダ領域ＬＨ１に含まれるＶＦＯ１領域に相当する部分の再生信号Ｓ１ａ＊が出力されている期間、切換信号Ｓ３ａを出力する。さらに、コントローラ１２０は、外部から供給されるヘッダ検知信号及びＰＬＬ回路から出力されるクロックを基にして、グルーブヘッダ領域ＧＨ１に含まれるＶＦＯ１領域に相当する部分の再生信号Ｓ１ｂ＊が出力されている期間、切換信号Ｓ３ｂを出力する。
【００６５】
このように、ＶＦＯ１領域に相当する部分の再生信号Ｓ１ａ＊又はＳ１ｂ＊が出力されている期間、切換信号Ｓ３ａ（第１の切換信号）又はＳ３ｂ（第２の切換信号）を出力して、この期間内において高速にハイパスフィルタのカットオフ周波数を切換える。ＶＦＯ領域は、ＰＬＬの引込みを行うための連続的な繰返しパターンが記録されている。従って、ハイパスフィルタの高速なカットオフ周波数の切換えにより、このＶＦＯ領域の再生信号Ｓ１ａ＊又はＳ１ｂ＊に多少の歪みが生じても、実質的な再生処理に多大な影響を及すものではない。従って、このＶＦＯ領域に相当する再生信号Ｓ１ａ＊又はＳ２ｂ＊が出力されている期間内に、ハイパスフィルタのカットオフ周波数を高速に切換えることにより、ランドヘッダ領域ＬＨ１及びグルーブヘッダ領域ＧＨ１から得られる直流レベルの異なる信号を正確に再生することができる。
【００６６】
再生信号Ｓ１は、切換信号Ｓ３によりカットオフ周波数の切換が制御されるハイパスフィルタ１０２により、直流成分が除去された再生信号Ｓ２となる。その後、この再生信号Ｓ２は、コンパレータ１０４を介して、２値化回路１０６に供給され２値化処理される。さらに、２値化処理された信号は、ＰＬＬ回路１０８を経由して、復調回路１１２に供給され復調される。また、ヘッダ検知信号発生回路１１４は、復調回路１１２から得られる信号を基にしてヘッダ検知信号を出力する。このヘッダ検知信号発生回路１１４から出力されるヘッダ検知信号は、ＰＬＬ回路１０８に供給されるようになっている。
【００６７】
【発明の効果】
この発明によれば、ランドヘッダ領域及びグルーブヘッダ領域から得られる直流レベルの異なる信号を正確に再生することができる光ディスク再生装置及び光ディスク再生方法を提供できる。
【図面の簡単な説明】
【図１】ランドで形成されたランドトラック及びグルーブで形成されたグルーブトラック、並びにヘッダの配置の一例を説明するための図。
【図２】ランドヘッダ領域及びグルーブヘッダ領域から得られる再生信号Ｓを示す図。
【図３】光ディスクのデータ記録領域を複数のゾーンに分割した様子を示す図。
【図４】光ディスクのデータ記録領域のデータ構造を示す図である。
【図５】光ディスクの各ゾーンに対応する回転速度、及び各ゾーンのトラックにおけるセクタ数を示す図。
【図６】セクタ領域の概略構成を示す図。
【図７】光ディスクに記録されているデータを再生する光ディスク再生装置の概略構成を示す図。
【図８】データ再生回路の概略構成を示す図。
【図９】データ再生回路に入力される再生信号Ｓ１、ハイパスフィルタから出力される再生信号Ｓ２、及びコントローラからハイパスフィルタに対して供給されるハイパスフィルタのカットオフ周波数の切換を制御する切換信号Ｓ３を示す図。
【符号の説明】
ＬＴ１、ＬＴ２、ＬＴ３…ランドトラック
ＧＴ１、ＧＴ２、ＧＴ３…グルーブトラック
ＬＲ１、ＬＲ２、ＬＲ３…ランドレコーディング領域
ＧＲ１、ＧＲ２、ＧＲ３…グルーブレコーディング領域
ＬＨ１、ＬＨ２、ＬＨ３…ランドヘッダ領域
ＧＨ１、ＧＨ２、ＧＨ３…グルーブヘッダ領域
１…光ディスク
２５…光学ヘッド
３８…データ再生回路
１０２…ハイパスフィルタ
１０４…コンパレータ
１０６…２値化回路
１０８…ＰＬＬ回路
１１０…コントローラ
１１２…復調回路
１１４…ヘッダ検知信号発生回路
【図１】
0003908347.tif 000002
【図２】
0003908347.tif 000003
【図３】
0003908347.tif 000004
【図４】
0003908347.tif 000005
【図５】
0003908347.tif 000006
【図６】
0003908347.tif 000007
【図７】
0003908347.tif 000008
【図８】
0003908347.tif 000009
【図９】
0003908347.tif 000010